【事件の表示】
　特許第３０７７９８０号「画像処理装置」の請求項１に係る特許に対する特許異議の申立てについて、次のとおり決定する。
【結　論】
　訂正を認める。
　特許第３０７７９８０号の請求項１に係る特許を維持する。
【理　由】
１．手続の経緯
　本件特許第３０７７９８０号の請求項１乃至３に係る発明についての出願は、昭和６３年３月１０日に特許出願され、平成１２年６月１６日にその特許権の設定の登録がなされ、申立人鈴木正和により、本件請求項１について特許異議の申し立てがなされ、取消理由通知がなされ、その指定期間内である平成１３年９月２５日に訂正請求がなされた後、該訂正請求に対して手続補正指令が通知され、その指定期間である平成１４年５月７日にその手続補正書が提出されたものである。
　　　
２．訂正の適否についての判断
（１）訂正の内容
ア．訂正事項ａ
　特許請求の範囲の請求項１の、
「【請求項１】多値画像データを有する画素を所定画素数毎に分割して所定エリアを構成し、該所定エリア内の所定位置に濃度を集中化するための所定の網点化情報に従って、該所定エリア内の各画素の多値画像データを濃度変換する画像変換手段と、
　前記画像変換手段により濃度変換された各画素の多値画像データに基づき、濃度に応じた多段階のサイズのドットを形成するための記録画像データを生成するための生成手段と、
を有することを特徴とする画像処理装置。」
という記載を、      
「【請求項１】多値画像データを有する画素を所定画素数毎に分割して所定エリアを構成し、該所定エリア内の所定位置に濃度を集中化するための所定の網点化情報に従って、該所定エリア内の各画素の多値画像データを
構成するビット数を変えることなく
　前記画像変換手段により濃度変換された各画素の多値画像データに基づき、濃度に応じた多段階のサイズのドットを形成するための記録画像データを生成するための生成手段と、
を有することを特徴とする画像処理装置。」
と訂正する（訂正個所にアンダーラインを付した。以下、同じ。）。
イ．訂正事項ｂ
　発明の詳細な説明における「上記目的を達成するために・・・生成するように動作する。」（本件特許公報第２頁第３欄第１８〜３８行）という記載を、
「上記目的を達成するために本発明の画像処理装置は以下の構成からなる。即ち、多値画像データを有する画素を所定画素数毎に分割して所定エリアを構成し、該所定エリア内の所定位置に濃度を集中化するための所定の網点化情報に従って、該所定エリア内の各画素の多値画像データを
構成するビット数を変えることなく
［作用］
　以上の構成により、多値画像データを有する画素を所定画素数毎に分割して所定エリアを構成し、その所定エリア内の所定位置に濃度を集中化するための所定の網点化情報に従って、その所定エリア内の各画素の多値画像データを
構成するビット数を変えることなく
と訂正する。
ウ．訂正事項ｃ
　発明の詳細な説明における「以上説明したように本発明によれば、・・・という効果がある。」（本件特許公報第９頁第１８欄第１３〜１６行）という記載を、
「以上説明したように本発明によれば、多値画像データの濃度に応じた多階調のサイズのドットを形成する多階調の画像形成装置において、印刷に適した網点画像データを
、その生成の前後でビット数を変えることなく生成でき、多階調のサイズのドットを形成する記録画像データの生成において、そのビット数を維持した多値画像データに基づいて記録画像データを
と訂正する。
　　　
（２）訂正の目的の適否、新規事項の有無及び拡張・変更の存否
　上記訂正事項ａに関連する記載として、願書に添付した明細書（以下、特許明細書という。）の発明の詳細な説明には、「第７図は実施例のＬＵＴ（１）の変換特性を説明する図である。図において、・・・このように画素濃度が集中化され、代表化される。」（本件特許公報第５頁第１０欄第２３行〜第６頁第１１欄第３６行）および願書に添付した図面の第５図には、網点化処理回路のブロック構成図が記載され、そこには、８ビットの画素データが入力され、８ビットの画素データが出力されることが示されている。
　そうすると、上記訂正事項ａは、特許明細書及び図面に記載された事項の範囲内において、特許請求の範囲の請求項１に記載された画像変換手段の網点化情報に従って所定エリア内の各画素の多値画像データを濃度変換する態様を、変換の前後で各画素の多値画像データを構成するビット数を変えることがなくと限定したものである。
　また、訂正事項ｂ及びｃは、上記訂正事項ａに伴い、特許請求の範囲の記載との整合のために発明の詳細な説明の記載を訂正したものである。
　したがって、上記訂正は、特許請求の範囲の減縮及び明瞭でない記載の釈明に該当するものであり、新規事項の追加に該当しない。
  そして、上記訂正は、実質上特許請求の範囲を拡張し、または変更するものでない。
　　　
（３）むすび
　以上のとおりであるから、上記訂正は、平成６年改正法附則第６条第１項の規定によりなお従前の例とされる、平成１１年改正前の特許法１２０条の４第３項で準用する第１２６条第１項ただし書き、第２項及び第３項の規定に適合するので、当該訂正を認める。　　
　　
３．特許異議申し立てについての判断
（１）申立の理由の概要
　申立人鈴木正和は、証拠として、甲第１号証（特開昭６２−１８９７７４号公報）を提出し、本件請求項１に係る発明は、甲第１号証に記載された発明と同一または同号証に記載された発明に基づいて当業者が容易に発明をすることができたものであると主張している。
　　　
（２）本件発明
　特許第３０７７９８０号の請求項１に係る発明（以下、「本件発明１」という。）は、上記訂正明細書の特許請求の範囲の請求項１に記載されたとおりのものと認める（訂正事項ａを参照。）。
　　　　
（３）引用刊行物に記載された発明
　当審で通知した取消理由に引用した刊行物１乃至３には、本件発明に関連する事項として、以下のような事項が記載されている。
　ア．引用刊行物１（特開昭６１−１８９７７４号公報＝甲第１号証）    
ａ．「本発明は原理的には広義の多値ディザ法・・・による多階調画像形成方式であり、・・・閾値マトリックスをｋ個（ｋ≧２）の核を持つ集中型として・・・閾値マトリックスの内部において、濃度が最高レベルでないドットの出現度をｋ個以下とすることにより、・・・滑らかな階調を持った網点を形成し」（第２頁右上欄末行〜左下欄１０行）
ｂ．「第１図は本発明の一実施例に係る多階調画像形成装置の概略ブロック図である。この図において、６２は記録系であり、白を含めてドットの濃度レベルを直接的に、またドット径を変化させることにより間接的に、４レベルに制御できるものである（白はレベル１）。６０は記録ドットの画像データを発生するテーブル変換器であり、・・・このテーブル変換器６０により、入力画素に対する出力ドットの濃度が、４行×４列の多値ディザ法により決定され、その濃度情報は２ビットのデータとして記録系６２へ送出される。」（第２頁右下欄第２〜１９行）
ｃ．「本実施例で用いられた閾値マトリックスは、４９階調を表現できるものであり、核数ｋが２のドット集中型であり、」（第３頁右上欄第４〜６行）
　イ．引用刊行物２（＝特開昭６２−２８４５８０号公報）
ａ．「本発明は、閾値マトリクスパターンを構成する複数個の閾値の内少なくとも２つを核とし、網点画像内の黒画素が前記２つの核を中心として順次周囲に拡がるように各閾値を設定して網点画像を形成するようにしたものである。」（第２頁左下欄末行〜右下欄４行）
  ウ．引用刊行物３（＝特開昭５８−１７３９７２号公報）
ａ．「第１５図の黒化の方法は、１つの基本セルが徐々に黒化面積を増していく方法」（第５頁右下欄第１５〜１７行）
　
（４）対比・判断 
　本件発明と上記引用刊行物１に記載された発明とを対比するに、
　上記引用刊行物１に記載された発明の「ｋ個（ｋ≧２）の核を持つ集中型の４行×４列の閾値マトリックス」は、「所定エリア内の所定位置に濃度を集中化するための所定の網点化情報」といえ、また、同じく、「テーブル変換器６０」は、各画素の多値画像データを濃度変換画像変換手段であるといえ、さらに、同じく、「白を含めてドットの濃度レベルを直接的に、またドット径を変化させることにより間接的に４レベルに制御できる記録系６２」は濃度に応じた多段階のサイズのドットを形成するための記録画像データを生成するための生成手段といえる。
　してみると、本件発明と上記引用刊行物１に記載された発明とは、
「多値画像データを有する画素を所定画素数毎に分割して所定エリアを構成し、該所定エリア内の所定位置に濃度を集中化するための所定の網点化情報に従って、該所定エリア内の各画素の多値画像データを濃度変換する画像変換手段と、
　前記画像変換手段により濃度変換された各画素の多値画像データに基づき、濃度に応じた多段階のサイズのドットを形成するための記録画像データを生成するための生成手段と、
を有する画像処理装置」
である点で一致しているが、上記刊行物１には、本件発明１の構成要件である、
「所定エリア内の各画素の多値画像データを構成するビット数を変えることなく濃度変換する画像変換手段」
の点について、何ら記載されておらず又示唆もされていない。    
　そこで、この点について、さらに検討するに、
　通常、記録装置がアドレスできる最小単位である画素の濃度を調整できる段階数は、高々８ぐらいであって、また、通常、多値ディザ法は、６乃至８ビット（６４乃至２５６段階）で表される画素のデータを、所定数の画素数毎にに分割して構成した所定エリアに対して閾値マトリックスを使用して、前記高々８（３ビット）ぐらいの段階を持つ濃度データに変換するものであって、多値ディザ法による濃度変換手段では、その変換前後で各画素の濃度段階数が同じになること、すなわち、各画素の多値画像データを構成するビット数を変えないことは、通常あり得ないことである。
　してみると、通常の多値ディザ法による画像処理装置である上記引用刊行物１に記載された発明においても、そのテーブル変換器６０（画像変換手段）は、６ビット（最大６４段階）で表される画素データを、閾値マトリックスによって、２ビット（４段階）に濃度変換するものであって、テーブル変換器６０（画像変換手段）で、変換される前後の各画素画像データを構成するビット数を変えないようにすることは、当業者が容易に考えつくこととすることができない。
　また、上記刊行物２及び３、あるいは、異議申立人が言及している特開昭６１−５６７７号公報、特開昭６２−１３９４７３号公報、特開昭６１−２３７５７４号公報、特開昭６２−２４２４７３号公報のいずれにも、上記点について、記載も示唆もなく、また、当該技術分野において、周知であると認められず、上記刊行物１乃至３あるいは上記各公報に記載されたものを相互に適用しても、本件発明１の構成に到達することができない。   
　この点に関して、申立人は、多値ディザ法は、必ずしも変換によってビット数を低減する構成にのみ限定されものではなく、変換後の濃度データのビット数をどのように設定するかは、データ量と変換後の解像度とのトレードオフ等に応じて決定すべき設計事項に過ぎず、例えば変換によって圧縮する必要がないのであれば、変換前と変換後においてビット数が変わらないように構成することも考えられる旨主張している（平成１４年１月２１日付回答書第２頁下から３行〜第３頁第５行参照）。
　しかし、上述したように、多値ディザ法において、変換によって各画素の濃度段階数が低減しない、すなわち、ビット数が低減しないように構成することが周知であるとは認められないから、上記申立人の主張は採用することができない。
　そして、本件発明は、上記技術事項を備えることにより、「多値画像データの濃度に応じた多階調のサイズのドットを形成する多階調の画像形成装置において、印刷に適した網点画像データを、その生成の前後でビット数を変えることなく生成でき、多段階のサイズのドットを形成する記録画像データの生成において、そのビット数を維持した多値画像データに基づいて記録画像データを生成できる」という明細書に記載された作用効果を奏するものである。
　したがって、本件発明１は、上記刊行物１乃至２に記載されたものから当業者が容易に発明をすることができたものとすることができない。
  
（５）むすび
　以上のとおりであるから、特許異議申し立ての理由及び証拠方法によっては、本件請求項１に係る発明の特許を取り消すことができない。
　また、他に本件請求項１に係る発明の特許を取り消すべき理由を発見しない。
　したがって、本件請求項１に係る発明の特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１４年５月２１日（２００２．５．２１）
【訂正の要旨】
　訂正の要旨
ア．訂正事項ａ
　特許請求の範囲の請求項１の記載を、
「【請求項１】多値画像データを有する画素を所定画素数毎に分割して所定エリアを構成し、該所定エリア内の所定位置に濃度を集中化するための所定の網点化情報に従って、該所定エリア内の各画素の多値画像データを
構成するビット数を変えることなく
　前記画像変換手段により濃度変換された各画素の多値画像データに基づき、濃度に応じた多段階のサイズのドットを形成するための記録画像データを生成するための生成手段と、
を有することを特徴とする画像処理装置。」
と訂正する（訂正個所にアンダーラインを付した。以下、同じ。）。
イ．訂正事項ｂ
　発明の詳細な説明における「上記目的を達成するために・・・生成するように動作する。」（本件特許公報第２頁第３欄第１８〜３８行）という記載を、
「上記目的を達成するために本発明の画像処理装置は以下の構成からなる。即ち、多値画像データを有する画素を所定画素数毎に分割して所定エリアを構成し、該所定エリア内の所定位置に濃度を集中化するための所定の網点化情報に従って、該所定エリア内の各画素の多値画像データを
構成するビット数を変えることなく
［作用］
　以上の構成により、多値画像データを有する画素を所定画素数毎に分割して所定エリアを構成し、その所定エリア内の所定位置に濃度を集中化するための所定の網点化情報に従って、その所定エリア内の各画素の多値画像データを
構成するビット数を変えることなく
と訂正する。
ウ．訂正事項ｃ
　発明の詳細な説明における「以上説明したように本発明によれば、・・・という効果がある。」（本件特許公報第９頁第１８欄第１３〜１６行）という記載を、
「以上説明したように本発明によれば、多値画像データの濃度に応じた多階調のサイズのドットを形成する多階調の画像形成装置において、印刷に適した網点画像データを
、その生成の前後でビット数を変えることなく生成でき、多階調のサイズのドットを形成する記録画像データの生成において、そのビット数を維持した多値画像データに基づいて記録画像データを
と訂正する
（５４）【発明の名称】
画像処理装置
（５７）【特許請求の範囲】
（１）多値画像データを有する画素を所定画素数毎に分割して所定エリアを構成し、該所定エリア内の所定位置に濃度を集中化するための所定の網点化情報に従って、該所定エリア内の各画素の多値画像データ
を構成するビット数を変えることなく
　前記画像変換手段により濃度変換された各画素の多値画像データに基づき、濃度に応じた多段階のサイズのドットを形成するための記録画像データを生成するための生成手段と、
を有することを特徴とする画像処理装置。
（２）前記画像変換手段は、
　Ｖｉｊ’＝ｎＶｉｊ−ｒ（Ｐｉｊ−１）
　０≦Ｖｉｊ’≦ｒ
　ここで、
　Ｖｉｊ　：注目画素の入力した多値画像データの濃度値
　Ｖｉｊ’：注目画素の出力する多値画像データの濃度値
　ｎ　　：前記エリア内の画素数
　ｒ　　：最大濃度
　Ｐｉｊ：重み付け係数
に基づく網点化情報に従って濃度変換することを特徴とする請求項１に記載の画像処理装置。
（３）前記重み付け係数は、前記エリアの中心画素位置に向けて濃度を重みを増すような情報を有することを特徴とする請求項２に記載の画像処理装置。
【発明の詳細な説明】
［産業上の利用分野］
　本発明は、多階調の画像データを処理する画像処理装置において、画像の記録に適した記録画像データを生成する画像処理装置に関するものである。
［従来の技術］
　従来より、ディザ法、レーザ発光時間による制御法、レーザ輝度変調法などにより、多階調の画像を形成する画像形成装置が知られている。
［発明が解決しようとする課題］
　しかしながら、従来の装置により、印刷用の網点画像を作成しようとすると、ディザ法などの面積階調法によると画像の解像度が劣化し、画質が向上しなかった、また、レーザ光の発光時間による制御法や輝度変調法によると、網点化が不十分となり、印刷用の網点画像として使用できなかった。
　本発明は上記従来例に鑑みてなされたもので、多値画像データの濃度に応じた多階調のサイズのドットを形成する多階調の画像形成装置において、印刷に適した網点画像データを生成できる画像処理装置を提供することを目的とする。しかし、ディザ法等による場合は画像の階調性及び解像度が劣り、画質が向上しなかった。また発光時間制御法、輝度変調法等による場合は網点化が十分でなく、印刷時に支障を来たした。
［問題点を解決するための手段］
　上記目的を達成するために本発明の画像処理装置は以下のような構成を備える。即ち、
多値画像データを有する画素を所定画素数毎に分割して所定エリアを構成し、該所定エリア内の所定位置に濃度を集中化するための所定の網点化情報に従って、該所定エリア内の各画素の多値画像データを構成するビット数を変えることなく濃度変換する画像変換手段と、
　前記画像変換手段により濃度変換された各画素の多値画像データに基づき、濃度に応じた多段階のサイズのドットを形成するための記録画像データを生成するための生成手段と、を有することを特徴とする。
［作用］
　以上の構成により、多値画像データを有する画素を所定画素数毎に分割して所定エリアを構成し、その所定エリア内の所定位置に濃度を集中化するための所定の網点化情報に従って、その所定エリア内の各画素の多値画像データを構成するビット数を変えることなく濃度変換し、その濃度変換された各画素の多値画像データに基づき、濃度に応じた多段階のサイズのドットを形成するための記録画像データを生成する。
［実施例の説明］
　以下、添付図面に従って本発明による実施例を詳細に説明する。
〈機構部の説明〉
　第１１図は実施例のデジタル・カラー・リーダ・プリンタの機構部断面図である。このリーダ・プリンタ８０はカラー原稿画像を色分解して読み取るリーダ部１００と、そのカラー再生画像（コピー画像）又はその各色版に分解した印刷用原版（色分解画像）を作成するプリンタ部２０００とから成る。
　リーダ部１００において、８３は原稿走査ユニットであり、原稿台に載置した原稿８４を読み取るべく露光ランプ８５を点灯した状態で矢印Ａ方向に副走査する。原稿８４からの反射光は集束性ロッドレンズアレイ８６に導かれて密着型のカラーＣＣＤセンサ部８７上に集光する。このＣＣＤセンサチップは、例えば解像度１６ｐｅｌ（６２．５μｍ）を有しており、１０２４画素から成る。このセンサチップは全体として５チップ有り、主走査方向に千鳥状に配列されている。　更にセンサチップの各画素は１５．５μｍ×６２．５μｍの領域に３分割されていて、各領域にはシアン（Ｃ）、グリーン（Ｇ）、イエロー（Ｙ）の色フィルタが貼りつけられている。こうして、このＣＣＤセンサ部８７上に集光した光学像はＣ，Ｇ，Ｙの電気信号に変換され、信号処理ブロック８８に送られる。信号処理ブロック８８ではこれらのＣ，Ｇ，Ｙ電気信号をイエロー（Ｙ），マゼンタ（Ｍ），シアン（Ｃ），ブラック（ＢＫ）のデジタルビデオデータに変換し、色毎にプリンタ部２０００に送出する。
　プリンタ部２０００において、入力したビデオデータは、そのまま、又は網点化処理されて、また場合によってはその一部にフォントパターンが合成されて後、濃度＝パルス幅（ＰＷＭ）変調される。このＰＷＭ変調した２値化信号はレーザビームをＯＮ／ＯＦＦ駆動する。そしてこのレーザビームは高速回転しているポリゴンミラー２２８９により高速の水平（主）走査ビームにされる。この主走査ビームは更にミラー２２９０で反射されて感光ドラム２９００の面上にビデオデータに対応したドット露光を行う。その際、レーザビームの１主走査長はビデオデータの１主走査長に対応しており、即ち、実施例のビームドットは解像度１６ｐｅｌを有する。
　一方、感光ドラム２９００は矢印Ｂ方向に定速回転している。またこの感光ドラムには前もって帯電器２２９７により一様帯電が行なわれている。この一様帯電した感光体表面にビデオデータをビームドット露光することにより、各色分解版の静電潜像を形成する。例えばドラム１回転づつ色版Ｙ，Ｍ，Ｃ，ＢＫの順序で静電潜像を形成する。各色版の静電潜像は夫々対応する現像機２２９２〜２２９５により顕像化され、更に転写ドラム２２９６上に捲回された被転写材（用紙等）に転写される。
　以上をリーダ部１００の１回の原稿露光走査に対応して言うと、まず感光ドラムにＹ成分のドットイメージを露光し、これをＹ現像機で現像し、被転写材に転写する。次に感光ドラムにＭ成分のドットイメージを露光し、これをＭ現像機で現像し、被転写材に転写する。以下、同様にしてＣ成分、ＢＫ成分について露光、現像、転写を行なう。
　また、図示しないが、その際に被転写材の供給及び動作を制御する。即ち、各色版データを同一の被転写紙上に重ね合わせてカラー合成し、通常のカラーコピーを得る。または各色版毎に被転写材を換え、色分解数（Ｙ，Ｍ，Ｃ，ＢＫ等）に相当する枚数の被転写材に夫々転写して、カラー印刷用原版を作成する。
　また、図示しないが、後者の場合は更に何色で現像するかを制御する。即ち、各色版データを各対応するＹ，Ｍ，Ｃ，ＢＫ色で現像しても良いが、そうでなく、各色版データをＹ，Ｍ，Ｃ，ＢＫの内の何れか１色（例えばＢＫ１色）のみで現像しても良い。こうすれば各原版の比較評価が容易であり、またカラー印刷時の色は印刷用のインクで決まる。またこの点から、本実施例のプリンタ機構部はカラープリンタになっているが、これを通常のＢＫ１色のプリンタ機構部で置き換えても良い。
〈機能ブロックの説明〉
　第１図（Ａ）及び（Ｂ）は実施例のデジタル・カラー・リーダ・プリンタの機能ブロック図に係り、第１図（Ａ）はリーダ部１００の機能ブロック図、第１図（Ｂ）はプリンタ部２０００の機能ブロック図である。
　第１図（Ａ）において、１０は制御部であり、リーダ部１００の主制御を行う。制御部１０はＣＰＵ１０−１と、該ＣＰＵ１０−１が実行する例えば第１２図の制御プログラムを記憶しているＲＯＭ１０−２と、ＣＰＵ１０−１がワークメモリとして使用するＲＡＭ１０−３を備える。即ち、制御部１０はモータドライバ１３を介してモータ１２を回転制御し、原稿走査ユニット８３に原稿画像の読取走査を行わせる。またその際に定電圧制御回路（ＣＶＲ）を介して露光ランプ８５を点燈制御する。また操作部１６からのプリント（スタート）指令信号その他のキー操作信号を受け付け、各種のプリント動作モードを設定する。例えば操作部１６は不図示のプリントモード設定スイッチを備えており、制御部１０はこの指令により、例えば表現モード指令のときは、文字、線画等に対しては高解像、網点化モードでプリントし、また写真画像に対しては高階調性でプリントするように動作モードを設定する。あるいは、コピーモード指令のときは各色分解信号を１枚の被転写紙上にカラー合成し、原版作成モード指令のときは色分解数に相当する枚数の被転写材に各色版を形成するように動作モードを設定する。その他種々の指令がある。そして制御部１０はこのプリント動作モードを通信線２４を介してプリンタ部２０００に送信する。
　１は同期信号処理部であり、その主な機能はプリンタ部２０００からライン２２を介して送られるＢＤ信号（プリンタ部水平同期信号）に基づき、これに同期させたリーダ側の各種タイミング信号を発生することにある。２は密着型のカラーＣＣＤセンサ（８７）であり、同期信号処理部１からのリーダ部水平同期信号（ＲＨＳＹＮＣ信号）等に同期して原稿画像を読み取り、その読取画像信号５を出力する。読取画像信号５は１画素毎に例えばＣ信号、Ｇ信号、Ｙ信号の順で出力される。また本実施例ではＣＣＤセンサが５チップから成るので実際には５チャンネル分の信号が同時に発生する。３は信号処理部であり、例えば読取画像信号５の高周波成分の減衰を防ぐためのエツジ強調等の波形成形処理を行う。
　６は画像処理部であり、該画像処理部６はアナログ処理部７と、つなぎメモリ８と、イメージ処理ユニット（ＩＰＵ）９とから成る。アナログ処理部７では、まず画素毎のＣ，Ｇ，Ｙ信号を各色毎のＣ信号，Ｇ信号，Ｙ信号に分離する。次に分離したＣ，Ｇ，Ｙの信号から画素毎のレッド（Ｒ）、グリーン（Ｇ）、ブルー（Ｂ）の色信号を形成する。この形成は、
　（Ｒ）＝（Ｙ）−（Ｇ）
　（Ｇ）＝（Ｇ）
　（Ｂ）＝（Ｃ）−（Ｇ）
の演算処理によって行う。こうして得たＲ，Ｇ，Ｂの各信号は輝度信号であり、その出力電圧との関係がリニアになっている。これを更に濃度（ＬＯＧ）変換し、かつＡ／Ｄ変換器で各８ビットのＹ，Ｍ，Ｃの各濃度データ（画像データ）に変換する。このＹ，Ｍ，Ｃ画像データはＣＣＤチップの５チャンネル分あり、各チャンネル間の同期はとれていない。つなぎメモリ８は５チャンネル分のＹ，Ｍ，Ｃ画像データが出そろうように記憶する。即ち、主走査方向に千鳥状に配置した１０２４×５画素分が実質的に１直線になるように記憶する。以後、つなぎメモリ８のＹ，Ｍ，Ｃの各画像データは、制御部１０により所望の色信号が選択され、色毎にイメージ処理ユニット（ＩＰＵ）９に送られる。ＩＰＵ９では、例えば配光を補正するシェーディング補正処理、色味を補正するマスキング処理等を行う。そして処理結果の画素当り８ビットのビデオデータは信号線１１を介してＩＰＵ９よりプリンタ部２０００に送出される。
　第１図（Ｂ）において、２５００は制御部であり、プリンタ部２０００の主制御を行う。該制御部２５００はＣＰＵ２１１０と、該ＣＰＵ２１１０が実行する例えば第１３図（Ａ），（Ｂ）の制御プログラムを記憶しているＲＯＭ２５０２と、該ＣＰＵ２１１０がワークメモリとして使用するＲＡＭ２５０４と、及び外部の各種センサ回路からのアナログ検出信号をデジタル信号に変換するＡ／Ｄ変換器２５０３等を備えている。これにより制御部２５００は、まず駆動モータ２２８５を回転制御して感光体ドラム２９００、転写ドラム２２９６等を定速回転させる。また電位センサ２６００が検出した感光体ドラム２９００面上の帯電電荷量を、電位測定ユニット２７００を介してＡ／Ｄ変換せしめ、これを取り込む。更にまたセンサ２８００で検出した画像先端信号（ＩＴＯＰ）を取り込む。またその他の湿度センサ２２９８及び温度センサ２２９９等で検出した湿度、温度等の信号をＡ／Ｄ変換して取り込み、プリンタの現像特性を補正する等の制御に用いる。また制御部２５００は通信線２４を介してリーダ部の制御部１０との各種情報のやりとりを行う。
　２１６０は階調制御回路であり、その主な機能は、リーダ部１００の画像クロック信号（ＲＣＬＫ）とプリンタ部２０００の画像クロック信号（ＶＣＬＫ）間の同期をとること、また必要に応じて入力のビデオデータを網点化処理すること、また画像出力モードに応じて入力ビデオデータ又は網点化処理後のビデオデータを階調変換すること、更に階調変換したビデオデータをＰＷＭ変調によりその濃度に応じた２値化信号に変換すること等である。２２００はレーザドライバであり、階調制御回路２１６０からのＰＷＭ信号に従って、例えば半導体レーザ２２２３のビームをＯＮ／ＯＦＦ駆動する。
　第２図は実施例の階調制御回路の詳細を示すブロック構成図である。図において、入力ビデオデータの一方は網点処理用のルックアップテーブル｛ＬＵＴ（１）｝２１０１に入力し、ここで網点処理用ビデオデータに変換される。本実施例のＬＵＴ（１）はＲＯＭ又はＲＡＭで構成されている。該ＬＵＴ（１）は、次段の網点処理回路２１０２を介して網点化したビデオデータが電子写真プロセスにより出力される場合に、所望の網点化効果が得られるように予め入力ビデオデータを変換しておくため変換テーブルである。詳細は後述する。２１０２は網点処理回路であり、ＬＵＴ（１）出力の網点処理用ビデオデータに対して後述する網点化処理を施す。例えば、画像データを所定エリアに分割して該エリア内の画素濃度をその中心画素位置の濃度に集中化、代表化させたような網点化ビデオデータに変換し、これをセレクタ２１０３のＡ側端子に入力する。
　また入力ビデオデータのもう一方は網点化処理しない時のためにセレクタ２１０３のＢ側端子に入力している。セレクタ２１０３は、ＣＰＵ２２１０からのセレクト信号２１２３に従い、網点化後又は網点化前のビデオデータの何れか一方を選択して出力する。例えば印刷用原版を作成するモードでは好ましくは網点化後のビデオデータを選択出力する。また通常のカラーコピーを出力するときは網点化後のビデオデータでも網点化前のビデオデータも選択し得る。要するに、様々な印刷モードが考えられ、それらの印刷モードに従って後述する各処理回路との間で様々な信号処理の組み合せが生じる。
　次に、セレクタ２１０３で選択されたビデオデータはセレクタ２１０４のＡ側端子に入力する。またセレクタ２１０４のＢ側端子にはフォントＲＯＭ２１０８からのフォントデータが入力する。このフォントデータは前記の選択されたビデオデータの部分に文字又は記号のフォントパターン等を合成（挿入）するためのものである。後述する如く、ＣＰＵ２１１０がフォントコードと、それを合成すべきアドレスを設定することにより、各色版の画像データの一箇所又は数カ所において所望のフォントパターンを合成できる。
　セレクタ２１０４出力の８ビットのビデオデータはリーダ部１００からのＲＨＳＹＮＣ信号及びＲＣＬＫ信号に同期してバッファメモリ（ＦＩＦＯ）２１０５に入力する。そしてこの格納したビデオデータはプリンタ側同期制御回路２１１３からの水平同期信号（ＨＳＹＮＣ信号）及びビデオクロック信号（ＶＣＬＫ信号）に同期して読み出される。これにより、リーダ部１００とプリンタ部２０００間の速度整合が図られる。
　バッファメモリ２１０５から読み出したビデオデータはプリンタ特性補正用のルックアップテーブル｛ＬＵＴ（２）｝２１０６に入力する。ＬＵＴ（２）は入力ビデオデータをプリンタの出力特性（例えばビームスポット径、トナー粒子径等）に合わせる（出力濃度の階調性が増し、かつリニアになる）ように、予め補正されたビデオデータを作成するためのものである。詳細は第８図（Ａ）〜（Ｄ）に従って後述する。
　ＬＵＴ（２）出力のビデオデータはＤ／Ａ変換器２１０７に入力し、ここで段階的に変化するアナログのビデオ信号に変換されて、コンパレータ２１１７及び２１１８の各一方の端子に入力する。コンパレータ２１１７及び２１１８の各もう一方の端子には夫々アナログビデオ信号をその濃度に応じて２値化（ＰＷＭ変調）するためのパターン信号（１），（２）が入力している。パターン信号（１）は、例えば線画像、網点画像を再生し又は生成するためのものであり、この場合はその解像度が問題になるので、例えばビデオ信号と同一周波数（例えば４００線）のパターン信号としている。即ち、１画素当り１パターン信号を発生する。パターン信号（２）は、例えば中間調画像を再生するためのものであり、この場合は階調性を増す必要があるので、例えば前記線画用パターン信号の１／２の周波数（例えば２００線）となるようなパターン信号としている。即ち、２画素当り１パターン信号を発生する関係になる。
　回路に従って説明すると、水晶発振器（ＸＴＡＬ）２１１２は画像クロック信号の４倍以上の周波数のクロック信号を発生する。同期制御回路２１１３はＢＤ信号とＩＴＯＰ信号に同期させて主走査同期信号（ＨＳＹＮＣ信号）と基本クロック信号（ＳＣＬＫ信号）を形成する。分周回路２１１４はＳＣＬＫ信号を分周してパターン発生用クロック信号（ＴＶＣＬＫ信号とＰＶＣＬＫ信号）を発生する。このＴＶＣＬＫ信号は例えばビデオデータ信号の２倍周波数を有し、デューティ比５０％のクロック信号である。パターン発生回路２１１５はこのＴＶＣＬＫ信号に従ってアナログパターン信号（１）を発生する。本実施例では例えば三角波信号としている。コンパレータ２１１７はアナログビデオ信号とパターン信号（１）を比較して、当該ビデオ濃度をパルス幅変調（ＰＷＭ変調）したＰＷＭ信号（１）を出力する。
　またＰＶＣＬＫ信号はビデオデータ信号の１／２（又は２／３等）倍周波数を有し、デューティ比５０％のクロック信号である。パターン発生回路２１１６はこのＰＶＣＬＫ信号に従ってアナログのパターン信号（２）を発生する。本実施例では例えばこれも三角波信号としている。コンパレータ２１１８はアナログビデオ信号とパターン信号（２）を比較して、当該ビデオ濃度をパルス幅変調したＰＷＭ信号（２）を出力する。
　セレクタ２１１９は、ＣＰＵ２１１０からの制御信号に従い、例えば線画原稿の再生又は網点処理出力すべきときはＡ側端子のＰＷＭ信号（１）を選択出力し、また中間調画像を再生するときはＢ側端子のＰＷＭ信号（２）を選択出力する。
　尚、この選択も自由であり他の処理回路との間で様々な組合せが考えられる。
　また、この切換信号としてＣＰＵ２１１０からの切換信号ではなく、図示しないが、例えばビデオ信号の１画素毎にこれが線画エリアに属するか、あるいは中間調画像エリアに属するかを識別するような公知の像域分離手段を設け、この像域分離を切換信号としても良い。こうすれば１画像内でも原稿画調に応じた忠実で良質の画像が得られる。こうして、選択したＰＷＭ信号（１）又は（２）は、更にゲート回路２１２０により被転写材の動作とのマッチングがとられ、レーザドライバ２２００に入力され、ＰＷＭ信号のパルス幅に応じた時間だけ半導体レーザ２２２３を定電流駆動し、感光体ドラム２９００表面に静電潜像を形成する。
　第３図（Ａ）はプリンタ部における主要信号のタイミングチャートである。図には、水平同期信号ＢＤ、ブランキング信号、基準クロック信号ＳＣＬＫ、パターン発生用クロック信号ＴＶＣＬＫ，ＰＶＣＬＫ及びビデオクロック信号ＶＣＬＫ等の一例が示されている。
　第３図（Ｂ）は同期制御回路部の詳細を示すブロック構成図である。図において、水晶発振子２１１２´は同期回路２１２８に画像クロック信号の４倍以上の周波数のクロック信号を発生せしめる。同期回路２１２８は外部からのＢＤ信号、ＩＴＯＰ信号とクロック同期したタイミングにＨＳＹＮＣ信号、ＶＣＬＫ信号及びＳＣＬＫ信号を出力する。分周回路２１１４はＳＣＬＫ信号を入力し、ＶＣＬＫ信号と同周期でかつデューティ比５０％のＴＶＣＬＫ信号と、ＶＣＬＫ信号の２倍（又は３倍等）周期でかつデューティ比５０％のＰＶＣＬＫ信号を出力する。尚、図示しないが、ブランキング信号はＢＤ信号の立下がりでリセットされるＢＤ信号周期より短い時間を計時するカウンタにより形成される。
　ここで、第３図（Ａ）中のＰＶＣＬＫ´信号について説明する。このＰＶＣＬＫ´信号は網点化処理をしない場合（通常の中間調画像再生時）のビデオデータに対してスクリーン角制御を施す場合に有用となる。このＰＶＣＬＫ´信号はＨＳＹＮＣ信号から例えば１．５画素分の遅れ位相を有するクロック信号である。これを正規位相のＰＶＣＬＫ信号と比較すると１画素分遅れている。本実施例では、例えば通常の中間調画像再生時には、ＨＳＹＮＣ信号に対してＰＶＣＬＫ信号とＰＶＣＬＫ´信号を副走査方向に１ライン毎又は数ライン毎に切り換えて使用する。例えば１ライン毎に切り換えると４５°のスクリーン角制御をしたことになる。
　第３図（Ｂ）において、ＨＳＹＮＣ信号はシフトレジスタ２１３０に入力し、ＳＣＬＫ信号によってシフトされる。そしてシフトレジスタ２１３０の各段の出力はセレクタ２１３１の入力端子に接続されている。一方、カウンタ回路２１３２はＩＴＯＰ信号でリセットされて後、予めＣＰＵ２１１０からカウントプログラム情報をセットされる。カウントプログラム情報とは、例えばカウント値出力として２から５までを繰り返す、あるいはカウント値出力として５から６までを繰り返す等のカウントシーケンス情報である。カウンタ回路２１３２はこの情報に従ってＨＳＹＮＣ信号をカウントする。例えば、ＨＳＹＮＣ信号発生の度に３→４→５→３→４→５の如くカウントする。そしてこのカウント値はセレクタ２１３１の選択端子に入力している。一方、セレクタ２１３１はカウント値が３のときは入力端子３の信号を選択して出力し、カウント値が４のときは入力端子４の信号を選択して出力する。そしてセレクタ２１３１の出力は分周回路２１１４の分周開始端子に入力する。一方、分周回路２１１４は、予めＨＳＹＮＣ信号でリセットされており、カウント機能を停止している。そこにセレクタ２１３１からの信号が入力すると、その時点から分周動作を開始する。こうして、ライン毎に位相の異るＰＶＣＬＫ信号，ＴＶＣＬＫ信号を発生できる。スクリーン角との関係を言うと。今、スクリーン角θを、
　θ＝ｔａｎ−１ｂ／ａ
と定義したときに、ａの値はカウンタ回路２１３２のカウント値で決り、ｂの値はカウントシーケンスで決る。これらは何れもＣＰＵ２１１０が自由に設定できる値である。
〈網点化処理の説明〉
　以下に説明する網点化処理は、所定エリアに分割した画像データの濃度の網点化（例えば画素濃度その中心画素位置への集中化、代表化）処理及び最適スクリーン角制御を一挙にリアルタイムに行うものである。
　まず、網点化補正用ルックアップテーブル｛ＬＵＴ（１）｝の詳細を説明する。
　第７図は実施例のＬＵＴ（１）の変換特性を説明する図である。図において、プリンタ部入力のＹ，Ｍ，Ｃビデオデータとインキ（又はトナー）濃度はリニアな関係にある。しかし、後述する網点化処理を行うと、リニアな関係を保てなくなる。そこで、予め入力のＹ，Ｍ，Ｃビデオデータに対して濃度補正を加える。図の第１象限は補正前入力レベルとインキ濃度の関係を示しており、リニアな関係にある。縦軸のインキ濃度は本実施例装置で出力した色分解版を用いて印刷を行った時のインキ濃度である。第２象限はインキ濃度と網点化出力濃度レベルの関係を示している。第３象限は網点化出力濃度レベルと補正後入力レベルの関係を示している。また第４象限は補正後入力レベルと補正後前入力レベルの関係を示しており、これがＬＵＴ（１）の変換特性を与える。
　尚、もし実施例の色分解版が理想的な網点を構成できるときは、第３象限，第４象限の網点出力濃度を網点濃度（％）としてもよい。
　実際のテーブル情報は、例えば実測により求める。例えば、補正前入力レベルｅｎでインキ濃度Ｄｎを得るときは、インキ濃度Ｄｎとなるような網点出力濃度ｄｎを求める。次に網点出力濃度ｄｎとなるような補正後入力レベルＥｎを求める。これにより、ＬＵＴ（１）は補正前入力レベルｅｎに対して補正後出力レベルＥｎを得るように作成すれば良い。こうして、入力レベル００Ｈ〜ＦＦＨまでに対応する全ての変換レベルを求める。そして、この変換特性が色毎に異なるときはＬＵＴ（１）も色毎に作成する。
　第４図（Ａ）〜（Ｄ）は実施例の網点化処理パターンを説明する図に係り、第４図（Ａ）にはＣデータに対する一例を示す。図において、５００は１画素であり、各画素は１画像分のデータの起点アドレス（０，０）からの配列として示してある。６００は基本セルであり、図中の太線領域内（所定エリア内）の濃度を網点化（画素濃度を例えばその中心画素位置の濃度に集中化、代表化）させるためのブロック単位である。Ｃデータの基本セルは例えば１３画素から成る。基本セル内の各画素に付した数字（１〜１３）は優先順位を示しており、１から１３に向けて優先順位が低くなる。同一色のデータでは他の基本セルにも同一の優先順位が付されている。
　尚、図示の優先順位は実施例のプリンタ特性に合わせた一例であり、これに限定されない。他にも様々な変形が可能である。
　基本セル内における画素濃度の網点化処理は次式（網点化演算式）に従って行われる。
　即ち、
（注目画素出力データ）
　　　＝（注目画素入力データ）×（基本セル内画素数）
　　　　−（優先順位−１）×ＦＦＨ
　　但し、ＦＦＨ：最大濃度（Ｈはヘキサ表示）
　この演算は図示の主走査、副走査方向に注目画素を順次移動させて行う。例えば注目画素が優先順位１１の場所にあるときは、
　（出力濃度）
　　　　＝（入力濃度）×１３−（１１−１）×ＦＦＨ
である。優先順位が１１と低いので、差し引かれる濃度｛（優先順位−１）×ＦＦＨ｝が大きくなり、この画素位置の濃度は相対的に低められる。また、その結果、（出力濃度）＜０、のときは出力濃度を“００Ｈ”にクランプする。逆に、（出力濃度）＞ＦＦＨ、のときは出力濃度を“ＦＦＨ”にクランプする。
　また同様にして、注目画素が優先順位１の場所にあるときは、
　（出力濃度）
　　　＝（入力濃度）×１３−（１−１）×ＦＦＨ
である。優先順位が１なので、差し引かれる濃度がゼロである。このように基本セル内の中心画素位置に向けて画素濃度が集中化され、代表化される。こうして網点化形成した印刷用原版はインクののりが良く、安定である。
　７００はマトリクスであり、図示の網点化処理パターンが主走査及び副走査方向に繰り返えして使用されるブロック単位を示している。Ｃデータのマトリクスサイズは例えば（１３×１３）画素である。図より明らかな通り、このマトリクスを主走査、副走査方向に複数つなげるとどのようなサイズの原稿画像も処理できる。本実施例ではこの周期性を利用してこのマトリクスパターンをメモリに記憶し、該パターンを繰り返し、リアルタイムで使用することでパターンメモリの節約と高速演算を可能にしている。
　また図中の三角形はスクリーン角θを示すためのものであり、このスクリーン角θは基本セル６００の並び方の傾きを現わしている。図において、ａ，ｂが定まると、スクリーン角θは、
　　θ＝ｔａｎ−１ｂ／ａ
により求まる。Ｃデータのスクリーン角は例えばθ＝５６．３°を与えている。
　第４図（Ｂ）にはＭデータの網点化処理パターンの一例を示す。図において、基本セル６００は１３画素から成り、第４図（Ａ）と同一形状をしている。またスクリーン角はθ＝３３．７°を与えている。ところで、第４図（Ｂ）を第４図（Ａ）と比較すると、Ｍデータの基本セル６００はアドレス（０，０）からの開始の仕方（位相角）が異っている。このために、両者の中心画素位置は重ならない。即ち、主要な濃度情報が重ならない。この結果、印刷時にはＣインクもＭインクもつぶれることなく、良質かつ安定な印刷が行える。
　第４図（Ｃ）にはＢＫデータの網点化処理パターンの一例を示す。尚、ＢＫデータはＣ，Ｍ，Ｙデータから公知の方法で生成する。図において、基本セル６００は１０画素から成っており、その形状も第４図（Ａ），（Ｂ）のものとは異る。この形状に限らないが、例えばスクリーン角としてθ＝７１．６°を与えるのに適している。またアドレス（０，０）からの位相角も異なる。
　第４図（Ｄ）にはＹデータの網点化処理パターンの一例を示す。図において、基本セル６００は１０画素から成っており、この形状に限らないが、例えばスクリーン角としてθ＝１８．４°を与えるのに適している。またアドレス（０，０）からの位相角も異なる。
　第５図は実施例の網点処理回路のブロック構成図である。図において、ＬＵＴ（１）出力の網点化用ビデオデータはＲＶＣＬＫ信号に同期してＤタイプ・フリップフロップ（Ｄ・Ｆ／Ｆ）２３０１にラッチする。一方、カウンタ２３０４はＲＨＳＹＮＣ信号でリセットされた後、ＲＶＣＬＫ信号をカウントする。即ち、第４図（Ａ）〜（Ｄ）の主走査方向アドレスを形成する。またカウンタ２３０５はＩＴＯＰ信号でリセットされた後、ＲＨＳＹＮＣ信号をカウントする。即ち、第４図（Ａ）〜（Ｄ）の副走査方向アドレスを形成する。
　尚、図示しないが、カウンタ２３０４及び２３０５にはＣＰＵ２１１０から処理色に応じてのカウント初期化データがセットされ、各カウンタは初期化データに応じたカウント値でカウント動作を繰り返す。例えば、Ｃデータ又はＭデータを処理するときは、夫々カウント値０〜１２で繰り返す。またＢＫデータ又はＹデータを処理するときは、夫々カウント値０〜９で繰り返す。
　２３０６はパターンメモリであり、第４図（Ａ）〜（Ｄ）の網点化処理パターン（優先順位データ）を記憶している。こうして、ＣＰＵ２１１０からの色選択信号（Ｙ，Ｍ，Ｃ，ＢＫ）により、かつ主、副走査の進行につれて、第４図（Ａ）〜（Ｄ）の何れか１つのマトリクスの優先順位データが順次読み出される。２３０２はテーブルメモリであり、注目画素の入力データとこれに対応する優先順位データを入力として、上記の網点化演算式に従った当該注目画素の出力データを出力する。その際に、前記と同様にして、ＣＰＵ２１１０からの色選択信号により、基本セル内の画素数が１０又は１３の場合のテーブルが使用される。こうして読み出した注目画素の出力データは、ＲＶＣＬＫ信号に同期してＤ・Ｆ／Ｆ２３０３にセットされ、次段の回路に出力される。
　尚、上記のメモリ２３０２及び２３０６はＲＯＭでもＲＡＭでも良い。またメモリを用いたルックアップテーブル方式を採用する代りに、ハードウェア演算回路で構成しても良い。
　第６図（Ａ）は実施例のスクリーン角の配分例を示す図、第６図（Ｂ）は従来の印刷分野で用いられたスクリーン角の配分例を示す図、第６図（Ｃ）〜（Ｈ）はモアレ縞の例を示す図である。
　印刷技術の分野では、例えば（１３×１３）本のファイバグラスを束ねることができるので、印刷の際に配分したスクリーン角を正確に保つのは容易である。一方、本実施例ではレーザビームプリンタを使用しているので、ポリゴンミラー２２８９及び感光体ドラム２９００の回転ムラを考慮しなくてはならない。即ち、両回転ムラの合成により、時間当たりのレーザ照射光量のムラが生じ、該照射ムラは感光体ドラム上の潜像化、ひいては顕像化の際にも影響を及ぼし、これが出力画像に濃淡ムラ（ピッチムラ）として現れる。このピッチムラは網点化処理した画像と対応して考えると０°又は９０°の角度をもつ高周波成分と考えられる。一般に、モワレはピッチムラとの角度差が少ない色版に現われる。このために印刷方式と同じような角度で画像形成するとＭ，Ｃ成分がピッチムラとのモワレとして見え易くなる。これは第６図（Ｈ）の「万線スクリーン＋網点によるモワレ」と同等のものになる。そこで、本実施例では比視感度に対して目立たないＹ成分を０°に近いスクリーン角にしてモアレを目に見えにくくした。またＢＫは本来見え易い色であるが、本実施例のＢＫ成分は、図示しないが、リーダ部１００において各色成分の最低値に更に低濃度領域を濃度として打たないようにデータを補正している。そのためにピッチムラは前述したように光量ムラであるから濃い濃度より淡い濃度の方が見えやすい特性がある。そのためにブラックは０°又は９０°に近い角度にしてもピッチムラとのモワレが見えにくい。
　第８図（Ａ）〜（Ｄ）は実施例のプリンタ出力特性用ＬＵＴ（２）の変換特性を説明する図である。プリンタ出力画像は、使用プリンタの特性に合わせて、入力データレベルとプリンタ出力濃度がリニアな特性を持つようにする必要がある。ところで、例えばビームスポット径に比してトナー粒子径が十分に小さくない場合は、出力ビームに２５６階調を持たせてもトナー粒子は最大３２個しか付かない場合がある。これでは実質３２階調しか表わせないことになり不都合である。そこで、プリンタ出力単位として（２×２）ドット、あるいは一般的には（ｎ×ｍ）ドットのエリアを設定して該エリア内濃度で考えると、例えば３２×２＝６４階調、更には２５６階調までリニアな階調表現ができる。
　これを行う場合に、主走査方向に対しては、例えばｍ画素分の画像データをその画素周期のｍ倍周期のパターン信号（三角波）でＰＷＭ変換すれば良い。ところで副走査方向についてもｎライン分について主走査と同等の効果を得たい。しかし、本実施例のように副走査方向に同一の主走査を繰り返す方式では同等の効果を得られない。そこで、副走査方向については複数種の階調変換テーブルを設け、該テーブルを所定のシーケンスで切り換えて使用することにより、主走査方向と同等の効果を得る。
　ＬＵＴ（２）はこのためのテーブルであり、実施例のレーザビームプリンタの総合的な出力特性を考慮している。レーザビームプリンタの出力特性としては、ビームパルス幅と感光ドラム表面電位の関係（ＥＶ特性）及び感光ドラム表面電位と出力画像濃度の関係（ＶＤ特性）が考えられる。前者のＥＶ特性は略リニア特性を持つので、ここでは後者のＶＤ特性を補正するテーブルとして説明する。このＶＤ特性は、画像データの網点処理を行うか否か、あるいはＰＷＭ変調信号（パターン信号）の周波数、更には使用する現像剤等により異なる特性となる。このため本実施例では予めＶＤ特性に合わせて複数のテーブルを用意しておき、必要に応じてＣＰＵ２１１０が選択して使用するようにする。
　ここでは、網点処理を行わず、またコンパレータヘのパターン信号周波数がビデオ信号周波数の１／２又は１／３の場合について説明する。
　第８図（Ａ）は実施例のＶＤ特性を示す図である。図において、横軸のドラム表面電位は感光ドラムの表面電位と現像バイアス電位との差電位（コントラスト電位）を示している。第８図（Ｂ）は第８図（Ａ）のＶＤ特性をリニアに変換する特性の一例を示す図である。即ち、これは第８図（Ａ）の横軸と縦軸を入れ替えることにより目的を達成でき、第８図（Ｂ）の特性テーブルが得られる。しかし、本実施例では出力画像の階調性（特にハイライト部の階調性）をさらに向上さたい。そこで、パターン信号周波数の１／２，１／３倍に合わせ、かつ副走査方向にも２ライン、３ライン等の周期で、１ライン毎又は数ライン毎に変換テーブルを切り替え使用することにより、階調性のリニア化及び網点ドット集中化を図っている。
　第８図（Ｃ）はパターン信号周波数がビデオ信号周波数の１／２の場合に使用する実施例の補正テーブル特性を示す図である。図において、特性▲１▼のテーブルは始めに出力レベルが第８図（Ｂ）のカーブの２倍の傾きでレベルＦＦＨになるまで上昇し、以後は入力レベルがＦＦＨになるまで一定である。また特性▲２▼のテーブルは特性▲１▼のテーブル出力がレベルＦＦＨになるまではレベル００Ｈを保ち、それ以降は第８図（Ｂ）のカーブの２倍の傾きでレベルＦＦＨまで上昇するように作成されている。この例ではパターン信号周波数は１／２であるからビデオ信号２画素分で出力濃度１ドットが形成される。一方、副走査方向にも２ラインを周期として、かつ１ライン毎に図中の▲１▼と▲２▼のテーブルを切り替えて使用する。これにより、▲１▼のテーブルで濃をつけ、▲２▼のテーブルで淡をつける。結果として、副走査方向２ライン分で出力濃度１ドットを形成する効果を得る。尚、テーブル特性は▲１▼，▲２▼のものに限らない。
　第８図（Ｄ）はパターン信号周波数がビデオ信号周波数の１／３の場合に使用する実施例の補正テーブル特性を示す図である。尚、上述の如くＶＤ特性はパターン信号周波数に依存する。しかし、ここでは説明の便宜上、同じＶＤ特性を使用して説明する。図において、特性▲３▼のテーブルは始めに第８図（Ｂ）のカーブの３倍の傾きでレベルＦＦＨになるまで上昇し、それ以後は入力レベルがＦＦＨになるまで一定である。また特性▲４▼のテーブルは特性▲３▼のテーブル出力がレベルＦＦＨになるまではレベル００Ｈを保ち、それ以降は第８図（Ｂ）のカーブの１．５倍の傾きでレベルＦＦＨまで上昇している。この例ではパターン信号周波数は１／３であるからビデオ信号３画素分で出力濃度１ドットが形成される。一方、副走査方向にも３ラインを周期として、かつ１ライン毎に図中▲３▼と▲４▼のテーブルを切り替える。例えば▲４▼→▲３▼→▲４▼のように切り替える。これにより、出力１ライン毎に濃淡をつけ、副走査方向３ライン分で出力濃度１ドットを形成する効果を得る。尚、テーブル特性は▲３▼，▲４▼のものに限らない。
　尚、実際にはＶＤ特性はパターン信号周波数により異なるので、その異なるＶＤ特性に合わせて、夫々第８図（Ｃ），（Ｄ）のテーブルを作成する。また上記テーブルの作成はパターン信号周波数がビデオ信号周波数の１／２，１／３の場合に限らない。他の周波数の場合についても同様にして作成できる。
　第９図は実施例のフォント制御回路の詳細を示すブロック構成図である。ＣＰＵ２１１０はフォントＲＯＭ２１０８の端子Ｓにデータを与え、プリントすべきフォントを選択する。またプリントすべき主走査アドレスデータをラッチ回路２１４２にラッチし、かつ副走査アドレスデータをラッチ回路２１４８にラッチする。ラッチ回路２１４２のアドレスデータはコンパレータ２１４１のＱ端子に入力し、ラッチ回路２１４８のアドレスデータはコンパレータ２１４７のＱ端子に入力する。一方、カウンタ２１４０はＲＨＳＹＮＣ信号でリセットされ、ＲＶＣＬＫ信号をカウントする。即ち、主走査方向画素数をカウントする。またカウンタ２１４６はＩＴＯＰ信号でリセットされ、ＲＨＳＹＮＣ信号をカウントする。即ち、副走査方向ライン数をカウントする。
　そしてカウンタ２１４０の画素数はコンパレータ２１４１のＰ端子に入力しており、コンパレータ２１４１はＰ＝Ｑを満足すると端子（Ｐ＝Ｑ）に論理１レベルを出力する。これは主走査方向の文字出力位置である。更に、この論理１レベルはＦ／Ｆ２１４３のＪ端子に入力しており、次のＲＶＣＬＫ信号によりＦ／Ｆ２１４３のＨＥＮＢ信号は論理１レベルになる。一方、カウンタ２１４５はＨＥＮＢ信号の論理１レベルに同期してＲＶＣＬＫ信号をカウント開始し、そのカウント出力をフォントＲＯＭ２１０８の主走査アドレスに提供する。またカウンタ２１４４もＨＥＮＢ信号の論理１レベルに同期してＲＶＣＬＫ信号をカウント開始し、所定数カウントするとそのＲＣ端子に論理１レベルを出力する。この論理１レベルはＦ／Ｆ２１４３のＫ端子に入力しており、次のＲＶＣＬＫ信号によりＦ／Ｆ２１４３のＨＥＮＢ信号は論理０レベルになる。これによりカウンタ２１４４及び２１４５はカウント停止し、その出力はリセットされる。以上からして、ＨＥＮＢ信号は主走査方向の当該文字位置で毎ラインＯＮになる信号である。
　一方、カウンタ２１４６のライン数はコンパレータ２１４７のＰ端子に入力しており、コンパレータ２１４７はＰ＝Ｑを満足すると端子（Ｐ＝Ｑ）に論理１レベルを出力する。これは副走査方向の文字出力位置である。更に、この論理１レベルはＦ／Ｆ２１４９のＪ端子に入力しており、次のＲＨＳＹＮＣ信号によりＦ／Ｆ２１４９のＶＥＮＢ信号は論理１レベルになる。一方、カウンタ２１５１はＶＥＮＢ信号の論理１レベルに同期してＲＨＳＹＮＣ信号をカウント開始し、そのカウント出力をフォントＲＯＭ２１０８の副走査アドレスに提供する。またカウンタ２１５０もＶＥＮＢ信号の論理１レベルに同期してＲＨＳＹＮＣ信号をカウント開始し、所定数カウントするとそのＲＣ端子に論理１レベルを出力する。この論理１レベルはＦ／Ｆ２１４９のＫ端子に入力しており、次のＲＨＳＹＮＣ信号によりＦ／Ｆ２１４９のＶＥＮＢ信号は論理０レベルになる。これによりカウンタ２１５０及び２１５１はカウント停止し、その出力はリセットされる。以上からして、ＶＥＮＢ信号は副走査方向の当該文字位置でＯＮになる信号である。ＨＥＮＢ信号とＶＥＮＢ信号はＡＮＤゲート２１５３に入力し、その出力にＳＥＬ信号を形成する。
　かようにして、出力画像の任意位置にフォントパターンを合成できる。ＣＰＵ２１１０はラッチ回路２１４２，２１４８及びフォント選択データを適宜変更可能であり、よって画像の任意の位置に複数の異るフォントを合成できる。
　第１０図は実施例のフォント制御回路でフォント合成した出力画像の例を示す図である。図において、“＃”は位置決めのためのレジストマークであり、“Ｍ，Ｃ，Ｙ，Ｂｋ”は各色版を識別するための色情報マークである。また残りはリーダ１００で読み取った原稿画像の各色分解版である。
〈フローチャート〉
　第１２図はリーダ部の制御部１０の動作を示すフローチャートである。この制御プログラムはＲＯＭ１０−２に内蔵されている。図において、リーダ部１００に電源投入すると、ステップＳ１ではイニシャル表示ルーチンを実行する。このルーチンは例えば各Ｉ／０のチェック、インディケータの表示チェック、ＲＡＭ１０−３のイニシャライズ、原稿走査ユニットをその走査開始点に移動する等の処理である。ステップＳ２では通信線２４を介してプリンタ制御部２５０００と接続状態になるのを待つ。通信線２４が接続されていないか又はプリンタ部２０００に電源投入していないような場合は接続状態にない。ステップＳ２で接続状態を確認するとステップＳ３に進み、操作部１６のプリント（コピー）スイッチがＯＮされるのを待つ。プリントスイッチがＯＮされるとステップＳ４に進み、プリンタ部２０００に対して印刷モード情報と共にプリントＯＮ指令を出力する。この印刷モード情報には色分解版出力モードか否かが含まれ、操作部１６への指示に従って出力される。ステップＳ５ではプリンタ部２０００からのＩＴＯＰ信号を待つ。ステップＳ５でＩＴＯＰ信号を入力するとステップＳ６に進み、原稿画像をスキヤンしてビデオデータをプリンタ部２０００に出力する。その際に、印刷モード等の選択は図示されていない走査部より制御部１０へ与えられる。その情報を制御部１０は制御部要素やプリンタ２０００の制御部２５００へ情報を伝達する。
　第１３図（Ａ）はプリンタ部の制御部２５００の動作を示すフローチャートである。図において、リーダ部１００からプリントＯＮ指令を受けるとステップＳ２２００に入力する。ステップＳ２２０１では色分解版（印刷用原版）出力モードか否かをチェックする。色分解版出力モードでなければステップＳ２２０２に進み、例えば通常のプリントシーケンスによりカラーコピー等の画像出力を行う。また色分解版出力モードのときはステップＳ２２０３でプリンタ出力特性補正用ＲＡＭ（ＬＵＴ２）２１０６に上記網点処理時の４００線出力のルックアップテーブルをＹ，Ｍ，Ｃ，Ｋの各色についてセットする。ステップＳ２２０４では第２図のセレクタ２１１９の４００線（Ａ側）入力を選択する。ステップＳ２２０５では網点処理用ＲＡＭ（ＬＵＴ（１））２１０１にＹ，Ｍ，Ｃ，Ｋの各色についてルックアップテーブルをセットする。ステップＳ２２０６では第２図のセレクタ２１０３のＡ側入力を選択する。ステップＳ２２０７では、後述する処理手順に従い、１枚目の被転写材にＹ分解版の画像出力を行う。ステップＳ２２０８では同様にして２枚目の被転写材にＭ分解版の画像出力を行う。ステップＳ２２０９では同様にして３枚目の被転写材にＣ分解版の画像出力を行う。ステップＳ２２１０では同様にして４枚目の被転写材にＢＫ分解版の画像出力を行う。
　第１３図（Ｂ）は実施例のＹ分解版画像出力手順の詳細を示すフローチャートである。図において、ステップＳ２２１２ではＬＵＴ２のＹ用補正テーブルを選択する。ステップＳ２２１３ではＬＵＴ（１）のＹ用網点処理用テーブルを選択する。ステップＳ２２１４では、出力画像にＹ用スクリーン角が付くように、網点処理回路２１０２に対してＹ用初期化データをセットする。ステップＳ２１１５ではフォント制御回路２１０９に必要なデータをセットする。必要なデータとは、例えばレジストの目的で付すレジストマーク“＃”、Ｙ分解版であることを示す色情報マーク“Ｙ”、及びこれらの出力アドレス等である。ステップＳ２２１６でＹ分解版の画像データをブラック（ＢＫ）現像器２２９５により現像して、Ｙ分解版の画像出力を行う。尚、他のＭ，Ｃ，ＢＫの各分解版についても、それぞれのスクリーン角をつけられ、レジストマーク“＃”及び色情報マーク“Ｍ”“Ｃ”“Ｂｋ”と共にＢＫ現象器２２９５により現象され、各色分解版の画像出力が行なわれる。
　第１０図において、各色分解版の画像そのものは黒（ＢＫ）で印刷されている。しかし同時印刷した文字マーク“Ｙ，Ｍ，Ｃ，Ｂｋ”によってこれらを容易に区別できる。また各レジストマーク“＃”を合せることで、正確な位置決めができる。
［発明の効果］
　以上説明したように本発明によれば、多値画像データの濃度に応じた多階調のサイズのドットを形成する多階調の画像形成装置において、印刷に適した網点画像データを
、その生成の前後でビット数を変えることなく生成でき、多階調のサイズのドットを形成する記録画像データの生成において、そのビット数を維持した多値画像データに基づいて記録画像データを
【図面の簡単な説明】
　第１図（Ａ）及び（Ｂ）は実施例のデジタル・カラー・リーダ・プリンタの機能ブロック図、
　第２図は実施例の階調制御回路の詳細を示すブロック構成図、
　第３図（Ａ）はプリンタ部における主要信号のタイミングチャート、
　第３図（Ｂ）は同期制御回路部の詳細を示すブロック構成図、
　第４図（Ａ）〜（Ｄ）は実施例の網点化処理パターンを説明する図、
　第５図は実施例の網点処理回路のブロック構成図、
　第６図（Ａ）は実施例のスクリーン角の配分例を示す図、
　第６図（Ｂ）は従来の印刷分野で用いられたスクリーン角の配分例を示す図、
　第６図（Ｃ）〜（Ｈ）はモアレ縞の例を示す図、
　第７図は実施例のＬＵＴ（１）の変換特性を説明する図、
　第８図（Ａ）〜（Ｄ）は実施例のＬＵＴ（２）の変換特性を説明する図、
　第９図は実施例のフォント制御回路の詳細を示すブロック構成図、
　第１０図は実施例のフォント制御回路でフォント合成した出力画像の例を示す図、
　第１１図は実施例のデジタル・カラー・リーダ・プリンタの機構部断面図、
　第１２図はリーダ部の制御部１０の動作を示すフローチャート、
　第１３図（Ａ）はプリンタ部の制御部２５００の動作を示すフローチャート、
　第１３図（Ｂ）は実施例のＹ分解版画像出力手順の詳細を示すフローチャートである。
　図中、８４…原稿、８３…原稿走査ユニット、８６…ロッドレンズアレイ、８７…カラーＣＣＤセンサ部、８８…信号処理ブロック、２２８９…ポリゴンミラー、２２９０…ミラー、２９００…感光体ドラム、２２９２〜２２９５…現像器、　２２９６…転写ドラムである。